(57)【要約】【課題】かまど兼用ベンチが設置されている場所以外の場所においても、かまどとして使用することができるかまど兼用ベンチを提供する。【解決手段】かまど兼用ベンチ１は、かまど兼用ベンチ１が設置場所に立設された一対の側壁部２ａ，２ｂと、該一対の側壁部２ａ，２ｂの間に架け渡され固定されている座部３と、該座部３の下方に収容されているかまど部４とを備えてなり、前記座部３は前記一対の側壁部２ａ，２ｂから取り外し可能となされるとともに、前記座部３が取り外された状態で前記かまど部４は取り出し可能となされ、かつ前記かまど部４は自立可能とし、前記座部３を取り外して前記かまど部４を取り出し、かまど兼用ベンチ１を設置している場所から移動させて、調理用のかまどとして使用することができるようにする。【選択図】        図１
2016067451.tif 000002
【特許請求の範囲】
【請求項１】
利用者が着座してベンチとして使用でき、また、調理用のかまどとしても使用できるかまど兼用ベンチであって、該かまど兼用ベンチは、かまど兼用ベンチが設置場所に立設された一対の側壁部と、該一対の側壁部の間に架け渡され固定されている座部と、該座部の下方に収容されているかまど部とを備えてなり、前記座部は前記一対の側壁部から取り外し可能となされるとともに、前記座部が取り外された状態で前記かまど部は取り出し可能となされ、かつ前記かまど部は自立可能となされていることを特徴としたかまど兼用ベンチ。
【請求項２】
前記かまど部には、調理器具を載置する五徳部と、前記かまど部を使用場所に起立させるかまど用脚部とが備えられ、前記かまど部が前記座部の下方に収容された収容状態においては、前記かまど用脚部は折り畳まれた状態となされ、前記かまど部をかまどとして使用する使用状態においては、前記かまど用脚部は開脚され起立した状態にすることができることを特徴とする請求項１に記載のかまど兼用ベンチ。
【発明の詳細な説明】
【技術分野】
【０００１】
本発明は、ベンチとして使用でき、かまどとしても使用できるかまど兼用ベンチに関する。
【背景技術】
【０００２】
従来、平常時にはベンチとして使用でき、地震等の災害発生時には炊き出しなどの調理ができるかまどとして使用できるかまど兼用ベンチが提案されている。一例として特許文献１に示すものがある。
【０００３】
特許文献１に記載されたかまど兼用ベンチは、公園等に設置されるもので、コンクリート製の一対の支持台と、この一対の支持台の間に設けられた座部を備える。そして、座部の下方にはステンレス製のグリルとグレーチング、そして風防パネル等が収容されている。災害発生時には、支持台から座部を取り外し、その後、グリル、グレーチング、風防パネルを支持台の所定位置に取り付ける。これにより、グリル上に置いた鍋やフライパンなどの調理器具を、グレーチング上に置いた材木などの燃料を燃やして加熱し、食材の煮炊きを行うことができる。
【０００４】
この特許文献１に記載されたかまど兼用ベンチでは、互いに対向して立設された左右の側壁を持つ支持台の前記左右の側壁の上部に内向きに形成された段部にグリルを固定して、かまどとして使用するため、かまど兼用ベンチが設置されている場所のみでしか、かまどとして使用することができないものであった。
【先行技術文献】
【特許文献】
【０００５】
【特許文献１】特許第４３９７４２８号公報
【発明の概要】
【発明が解決しようとする課題】
【０００６】
そこで本発明は前記問題に鑑み、かまど兼用ベンチが設置されている場所以外の場所においても、かまどとして使用することができるかまど兼用ベンチを提供することを課題とする。
【課題を解決するための手段】
【０００７】
上記目的を達成するために、本発明は次のような構成としている。
すなわち本発明に係るかまど兼用ベンチは、利用者が着座してベンチとして使用でき、また、調理用のかまどとしても使用できるかまど兼用ベンチであって、該かまど兼用ベンチは、かまど兼用ベンチが設置場所に立設された一対の側壁部と、該一対の側壁部の間に架け渡され固定されている座部と、該座部の下方に収容されているかまど部とを備えてなり、前記座部は前記一対の側壁部から取り外し可能となされるとともに、前記座部が取り外された状態で前記かまど部は取り出し可能となされ、かつ前記かまど部は自立可能となされていることを特徴とするものである。
【０００８】
また本発明に係るかまど兼用ベンチにおいて、前記かまど部には、調理器具を載置する五徳部と、前記かまど部を使用場所に起立させるかまど用脚部とが備えられ、前記かまど部が前記座部の下方に収容された収容状態においては、前記かまど用脚部は折り畳まれた状態となされ、前記かまど部をかまどとして使用する使用状態においては、前記かまど用脚部は開脚され起立した状態にすることができるようにしてもよい。
【発明の効果】
【０００９】
本発明に係るかまど兼用ベンチによれば、該かまど兼用ベンチは、かまど兼用ベンチが設置場所に立設された一対の側壁部と、該一対の側壁部の間に架け渡され固定されている座部と、該座部の下方に収容されているかまど部とを備えてなり、前記座部は前記一対の側壁部から取り外し可能となされるとともに、前記座部が取り外された状態で前記かまど部は取り出し可能となされ、かつ前記かまど部は自立可能となされているので、前記座部を取り外して前記かまど部を取り出し、かまど兼用ベンチを設置している場所から移動させて、調理用のかまどとして使用することができる。
【００１０】
また本発明に係るかまど兼用ベンチによれば、前記かまど部には、調理器具を載置する五徳部と、前記かまど部を使用場所に起立させるかまど用脚部とが備えられ、前記かまど部が前記座部の下方に収容された収容状態においては、前記かまど用脚部は折り畳まれた状態となされ、前記かまど部をかまどとして使用する使用状態においては、前記かまど用脚部は開脚され起立した状態にすることができるので、前記かまど部を収容する際に、その収容スペースを小さくすることができる。
【図面の簡単な説明】
【００１１】
【図１】本発明に係るかまど兼用ベンチの一実施形態を示す斜視図である。
【図２】図１の、（ａ）は正面図、（ｂ）は底面図である。
【図３】図１の一部切欠きのＡ−Ａ矢視縦断面図である。
【図４】図３のＢ−Ｂ矢視縦断面図である。
【図５】座部の、（ａ）は縦断面図、（ｂ）は底面図である。
【図６】同かまど兼用ベンチの座部を取外した状態を示す斜視図である。
【図７】同かまど兼用ベンチをかまどとして使用した状態を示す斜視図である。
【図８】図６に示すかまどを反対側から見た状態を示す斜視図である。
【発明を実施するための形態】
【００１２】
次に、本発明につき、一実施形態を取り上げて説明を行う。下記における方向の表示は、図１に示す状態であるかまど兼用ベンチ１の図示右下側から見た方向を基準とする。つまり、図示右下方向を「前方」、図示左上方向を「後方」、図示右上方向を「右方」、図示左下方向を「左方」とする。「右方」と「左方」を総称して「側方」とする。また、内外方向の表示は、後述する一対の側壁部２ａ，２ｂと座部３とに囲まれた空間に近い側を「内側」と、前記空間から遠い側を「外側」と表示する。なお、本発明が下記において説明する方向の態様のみに限定解釈されないことは言うまでもない。
【００１３】
図１に示すように、本実施形態のかまど兼用ベンチ１は、該かまど兼用ベンチ１をベンチとして使用する状態において、前記かまど兼用ベンチ１が設置場所に立設された一対の側壁部２ａ，２ｂと、該一対の側壁部２ａ，２ｂの間に架け渡されている座部３を備え、座部固定用ボルト５により前記座部３が前記側壁部２ａ，２ｂに固定されている。そして、前記座部３の下方には、鍋などの調理器具を支持するかまど部４が収容され、前記座部３は前記一対の側壁部２ａ，２ｂから取り外し可能となされているとともに、前記座部３が取り外された状態で前記かまど部４は取り出し可能となされている。
【００１４】
また、前記座部３と前記かまど部４との間には、前記かまど兼用ベンチ１をかまどとして使用する場合に用いる収容物を収容可能な収容部Ｓが形成される。この収容部Ｓには収容物として、防風板６及び吊下フック６１、灰受け板７、及び前記座部３の下面に取付けられ仮設椅子８として用いるための座部用脚部９が収容される。
【００１５】
前記側壁部２ａ，２ｂはモルタル製で、側面視による形状が長方形であり、上部の内側に、前記座部３の端部が載置される段部２１ａ，２１ｂが設けられ、前記座部３が前記段部２１ａ，２１ｂに載置された状態では、前記座部３の上面と前記側壁部２ａ，２ｂの上面とが面一になるようになされている。さらに、前記段部２１ａ，２１ｂの下側には、前記かまど部４の端部が載置され収容されるかまど部収容部２２ａ，２２ｂが設けられている。該かまど部収容部２２ａ，２２ｂは、前記かまど部４の端部が載置される平坦な底板部２３ａ，２３ｂとその前側、後側及び外側の三方から立ち上がる縦壁部２４ａ，２４ｂとを備え、前側、後側の縦壁２４ａ，２４ｂの上端面が前記段部２１ａ，２１ｂと面一となるように形成されている。
【００１６】
本実施形態における具体的寸法は、前記側壁部２ａ，２ｂについては、前後方向の長さが約３８０ｍｍ、上下方向の長さが約４００ｍｍであり、左側の側壁２ａの外側端縁から右側の側壁２ｂの外側端縁までの長さは、約２ｍである。なお、前記側壁部２ａ，２ｂの材料はモルタルに限定されるものではなく、金属、天然石、陶器、不燃処理を施した木材あるいは樹脂が例示できる。
【００１７】
前記座部３は、前記かまど兼用ベンチ１をベンチとして使用する状態、及び、かまどとして使用する場合における後述する仮設椅子８の状態で、その上面に利用者が座ることができるようになされている。前記座部３は、中空部を備えたアルミニウム合金製押出形材を芯材として、その外表面を熱可塑性合成樹脂で被覆した側面視において横長四角形状で左右方向に長尺な角材３１が５本並行に座部用金具３２の上面に並べられ、それぞれの前記角材３１が前記座部用金具３２にボルトＢ止めで固定されて形成されている。そして、前記座部３の両端部が前記側壁部２ａ，２ｂの段部２１ａ，２２ｂに載置され、左右１カ所ずつ、２本の座部固定用ボルト５で固定される。
【００１８】
前記座部用金具３２は、前記座部３の両端部が前記側壁部２ａ，２ｂの段部２１ａ，２２ｂに載置された状態で、前記段部２１ａ，２２ｂから前記座部３の中心側に寄った位置に左右それぞれ１個ずつ配置されており、側面視において、上底が下底よりも長い台形が２個連結された形状となされている。そして、その左右の前記座部用金具３２の上面に前記角材３１が架け渡されて、前後に間隔をあけて５本平行に載置され、それぞれボルトＢ止めで固定され一体化されて、前記座部３が形成されている。
【００１９】
前記角材３１を構成するポリエチレン等の熱可塑性合成樹脂は、木粉を混合したものであってもよく、木材に比べて耐候性に優れる。なお、かまどとして使用する場合に、仮設椅子８は火気の近くで使用される可能性があることから、耐熱性を高めるため、樹脂として耐熱樹脂を用いることもできる。
【００２０】
そして、前記かまど兼用ベンチ１をかまどとして使用する際に、前記座部３は前記一対の側壁部２ａ，２ｂから取り外し可能となされるとともに、前記座部３が取り外された状態で前記かまど部４は取り出し可能とので、前記かまど兼用ベンチ１の設置場所からかまどを使用したい場所まで前記かまど部４と前記座部３とを移動させて、かまど及び前記座部３を備えた仮設椅子８として使用することができるようになされている。
【００２１】
前記座部３を構成する前記座部用金具３２の下部には、蝶ボルト３３が前後方向に４個左右方向に２列に並設されて螺着されている（つまり、１個の座部用金具３２に対して、８個の蝶ボルト３３が螺着されている）。そして、前記座部３を前記側壁部２ａ，２ｂに固定している前記座部固定用ボルト５を取り外し、前記かまど兼用ベンチ１の設置場所からかまどを使用したい場所に移動して、前記仮設椅子８として使用する際、前記座部用金具３２に螺着されている前記蝶ボルト３３を全て一旦取り外した後、前記収容部Ｓに収容されている前記座部用脚部９の平板状の座部取付部９１を前記座部用金具３２に当接させ、取り外した前記蝶ボルト３３を前記座部取付部９１と前記座部用金具３２とに螺合して固定し、前記座部３の下面に前後左右に４個取付けられた前記座部用脚部９の座部用脚部本体９２を、前記かまど部４を使用する場所に起立させて、前記仮設椅子８が形成されるようになされている。
【００２２】
前記かまど部４には、調理器具を載置する五徳部４１と、該五徳部４１の両側方に、前記かまど部４をかまどとして使用する際、設置面に前記五徳部４１を起立させるかまど用脚部４２とが備えられ、前記かまど部４が前記座部３の下方に収容されている収容状態においては、前記かまど用脚部４２は折り畳まれた状態となされ、前記かまど部４をかまどとして使用する使用状態においては、前記かまど用脚部４２は開脚され起立した状態にすることができるようになされ、前記かまど部４は自立可能となされている。なお、図１に示す前記かまど部４が前記座部３の下方に収容された前記かまど兼用ベンチ１の収容状態においては、前記五徳部４１は下側に向けて配置されている。つまり、前記かまど部４を自立させかまどとして用いる際とは逆向きに収容されている。
【００２３】
前記五徳部４１は、アルミニウム合金や鉄鋼等の金属製で、逆Ｌ字状のアングル材４１１が左右方向に長い長方形状に４本枠組みされ、調理器具を載置する五徳部本体４１２が２本の長辺側の前記アングル材４１１に架け渡されて３個取付けられている。また前記かまど用脚部４２は、前記五徳部４１と同様、逆Ｌ字状のアングル材４２１が前後方向に長い長方形状に４本枠組みされ、前記五徳部４１の短辺の長さと前記かまど用脚部４２の長辺の長さとがほぼ同一となされ、前記五徳部４１の短辺側の前記アングル材４１１と前記かまど用脚部４２の長辺側の前記アングル材４２１とが当接され、それらにボルトが貫通されナットが螺着されて、前記五徳部４１と前記かまど用脚部４２とが固定されている。
【００２４】
また、前記かまど部４を使用場所に運搬する際、手で持つことができる様に、前記かまど用脚部４２の前記五徳部４１と反対側には、平面視でコの字状の持ち手部４３が取付けられている。そして、前記側壁部２ａに設けられている前記かまど部収容部２２ａ，２２ｂの底板部２３ａ，２３ｂに前記持ち手部４３が載置され、前記かまど部収容部２２ａ，２２ｂに前記かまど部４が収容されている。
【００２５】
前記かまど部４が前記座部３の下方に収容された収容状態において、前記かまど用脚部４２は、縦断面形状が下向きに開口したコの字状のアングル材からなるかまど用脚部本体４２２が２個、相対向する短辺側の前記アングル材４２１に架け渡されているかまど用脚部本体取付部４２４に取付けられており、上述の様に、前記かまど兼用ベンチ１の収容状態においては、前記かまど用脚部本体４２２は折り畳まれた状態、すなわち、前記アングル材４２１と平行な状態となされ、前記かまど部４をかまどとして使用する使用状態においては、前記かまど用脚部本体４２２は、下向きに開口したコの字状の天板部４２２ａの両端から下向きに突設された２個の縦壁部４２２ｂを貫通して取付けられている回動軸４２３を軸芯として回動可能となされ、前記かまど部４をかまどとして使用する使用状態における側面視において、ほぼハの字状に開脚され起立した状態となされ、かまどとして使用される設置面に前記かまど部４を自立できるようになされている。
【００２６】
また前記かまど部４が前記座部３の下方に収容された収容状態において、前記かまど用脚部本体取付部４２４は縦断面形状が上向きに開口したコの字状のアングル材で形成されている。つまり前記かまど用脚部本体取付部４２４は、底板部４２４ａの両端から２個の縦板部４２４ｂが上向きに突設されており、２個の前記かまど用脚部本体４２２の縦壁部４２２ｂを貫通して取付けられている回動軸４２３が、前記かまど用脚部本体取付部４２４の縦板部４２４ｂをも貫通して取付けられている。さらに前記かまど用脚部本体取付部４２４の長手方向の両端部が前記かまど用脚部４２の相対向する短辺側の前記アングル材４２１に溶接により固定されており、これにより、前記かまど用脚部本体４２２が前記アングル材４２１に取付けられて、前記かまど用脚部４２が形成されている。
【００２７】
前記かまど用脚部本体４２２は開脚され起立した状態において、いわゆるパチン錠と称される締め付け金具４４により、起立した状態を保持できるようになされている。したがって、前記かまど部４をかまどとして使用している使用状態において、前記かまど用脚部本体４２２が閉止してしまうのを防止することができる。なお、パチン錠である前記締め付け金具４４は、本体部４４１と側面視でＪ字状の係止部４４２とを備え、前記本体部４４１が前記かまど用脚部本体４２２の下向きに開口したコの字状の天板部４２２ｂに取付けられ、前記係止部４４２が前記アングル材４２１に取付けられている。
【００２８】
前記本体部４４１は、ピン４４１ａまわりに回動可能なフック４４１ｂとレバー４４１ｃとを備え、前記フック４４１ｂを前記係止部４４２に引っ掛けた状態で、前記レバー４４１ｃを前記ピン４４１ａまわりに押し下げることで、前記係止部４４２と係合することができる。一方、前記レバー４４１ｃを前記ピン４４１ａまわりに押し上げることで、前記係止部４４２との係合を解除することができるものである。
【００２９】
また長辺側の前記アングル材４１１には、Ｓ字状の前記吊下フック６１を取付けるためのフック挿通孔４１３が形成され、前記かまど部４をかまどとして使用する使用状態においては、長辺側の前記アングル材４１１に設けられた前記フック挿通孔４１３に挿通された前記吊下フック６１には前記防風板６が吊下げられ、短辺側の前記アングル材４１１に設けられた前記フック挿通孔４１３に挿通された前記吊下フック６１には前記灰受け板７が吊下げられて、調理に用いる火が風の影響を受けにくく、かつ薪などの燃料が燃焼した後の灰が設置面に散乱しにくい様になされている。
【００３０】
前記防風板６は、長手方向に延びる折目の形成により、前後方向の縦断面が略Ｗ字状とされている。この形状により強度が保たれ、また、同一形状である前記灰受け板７と重ねて収容しやすい。なお前記灰受け板７は、長尺の灰受け本体７１と、その両側に蝶番を介して取付けられた側板部７２とからなり、該側板部７２の端部に設けられた通孔に前記吊下フック６１が挿通され、短辺側の前記アングル材４１１に吊下げられるようになされている。
【００３１】
なお前記側壁部２ａ，２ｂは、相対向する内壁下部の前後方向にＬ字状の固定金具１０がそれぞれ２個ずつ備えられており、該固定金具１０が前記かまど兼用ベンチ１の設置場所に埋め込まれたアンカーボルトに対してナット等で固定されることにより、前記かまど兼用ベンチ１を設置場所に固定できるようになされている。
【符号の説明】
【００３２】
１  かまど兼用ベンチ
２ａ，２ｂ  側壁部
２１ａ，２１ｂ  段部
２２ａ，２２ｂ  かまど部収容部
２３ａ，２３ｂ  底板部
２４ａ，２４ｂ  縦壁部
３  座部
３１  角材
３２  座部用金具
３３  蝶ボルト
４  かまど部
４１  五徳部
４１１  アングル材
４１２  五徳部本体
４１３  フック挿通孔
４２  かまど用脚部
４２１  アングル材
４２２  かまど用脚部本体
４２２ａ  天板部
４２２ｂ  縦板部
４２３  回動軸
４２４  かまど用脚部本体取付部
４２４ａ  底板部
４２４ｂ  縦板部
４３  持ち手部
４４  締め付け金具
４４１  本体部
４４１ａ  ピン
４４１ｂ  フック
４４１ｃ  レバー
４４２  係止部
５  座部固定用ボルト
６  防風板
６１  吊下フック
７  灰受け板
７１  灰受け本体
７２  側板部
８  仮設椅子
９  座部用脚部
９１  座部取付部
９２  座部用脚部本体
１０  固定金具
Ｓ  収容部
Ｂ  ボルト
【図１】
2016067451.tif 000003
【図２】
2016067451.tif 000004
【図３】
2016067451.tif 000005
【図４】
2016067451.tif 000006
【図５】
2016067451.tif 000007
【図６】
2016067451.tif 000008
【図７】
2016067451.tif 000009
【図８】
2016067451.tif 000010